(57)【特許請求の範囲】
【請求項１】
識別情報を表示した表示トレイを筐体に内蔵し、その表示トレイを筐体から引き出すことにより前記識別情報をユーザに視認させる携帯端末において、
前記表示トレイは、可撓性を有する帯状のシート部材からなっていると共に、
前記表示トレイを引き出し方向に沿って案内して前記筐体の外部に引き出し可能とする案内部材が設けられており、
前記案内部材は、可撓性を有する帯状のシート部材からなっていると共に、
前記案内部材における、前記表示トレイの引き出し方向の前端部には、前記表示トレイを長手方向に通す案内部材孔部が設けられていることを特徴とする携帯端末。
【請求項２】
前記表示トレイ又は案内部材の少なくとも一方には、前記表示トレイを引き出すときに前記表示トレイが前記案内部材の前記案内部材孔部から抜けて前記案内部材から離脱するのを防止する抜け防止形状が形成されていることを特徴とする請求項１記載の携帯端末。
【請求項３】
前記表示トレイにおける引き出し方向の後端部には、前記案内部材を長手方向に通す表示トレイ孔部が設けられていることを特徴とする請求項１又は２に記載の携帯端末。
【請求項４】
識別情報を表示した表示トレイを筐体に内蔵し、その表示トレイを筐体から引き出すことにより前記識別情報をユーザに視認させる携帯端末において、
前記表示トレイは、可撓性を有する帯状のシート部材からなっていると共に、
前記表示トレイを引き出し方向に沿って案内して前記筐体の外部に引き出し可能とする案内部材が設けられており、
前記表示トレイにおける引き出し方向の後端部には、前記案内部材を長手方向に通す表示トレイ孔部が設けられていることを特徴とする携帯端末。
【請求項５】
前記案内部材は、サブアンテナに固定されていることを特徴とする請求項１〜４のいずれか１項に記載の携帯端末。
【請求項６】
前記案内部材は、前記表示トレイにおける引き出し方向の少なくとも後端部にて前記筐体に固定されていることを特徴とする請求項１〜５のいずれか１項に記載の携帯端末。
【請求項７】
前記表示トレイ及び案内部材は、表示パネルと回路基板との間に設けられていることを特徴とする請求項１〜４のいずれか１項に記載の携帯端末。
【発明の詳細な説明】
【技術分野】
【０００１】
本発明は、携帯端末に関するものであり、特に、携帯端末に内蔵された識別情報の取り出しに関する。
【背景技術】
【０００２】
携帯電話機やデータ通信端末等の携帯端末は、原則として、それぞれ、国際移動体装置識別番号（ＩＭＥＩ：International Mobile Equipment Identifier；端末識別番号）を有している。【０００３】
ところで、近年、スマートフォンに代表される携帯端末の小型化、電池の内蔵化に伴い、ＩＭＥＩ、製造番号等の重要情報の表示エリアをとれなくなってきている。そのため、従来、例えば、特許文献１〜３に開示されているように、引き出し式のＩＭＥＩ表示用トレイに、ＩＭＥＩ等の重要情報である識別情報を表示し、必要なときだけそれを引き出して確認する手法が行われている。
【先行技術文献】
【特許文献】
【０００４】
【特許文献１】日本国公開特許公報「特開２０１５−０２７００９号（２０１５年２月５日公開）」
【特許文献２】日本国公開特許公報「特開２０１５−０４１２３０号（２０１５年３月２日公開）」
【特許文献３】日本国公開特許公報「特開２０１５−１３３５８８号公報（２０１５年７月２３日公開）」
【発明の概要】
【発明が解決しようとする課題】
【０００５】
しかしながら、前記従来の携帯端末では、引き出し式のＩＭＥＩ表示用トレイが硬質部材からなっているので、携帯端末の厚み方向の一部にＩＭＥＩ表示用トレイを同一平面上に収納する領域を確保しなければならない。このため、携帯端末の厚みを薄くするためには限界があるという問題点を有している。【０００６】
本発明は、前記従来の問題点に鑑みなされたものであって、その目的は、識別情報を表示した表示トレイを有していても、厚みを薄くし得る携帯端末を提供することにある。
【課題を解決するための手段】
【０００７】
本発明の一態様における携帯端末は、前記の課題を解決するために、識別情報を表示した表示トレイを筐体に内蔵し、その表示トレイを筐体から引き出すことにより前記識別情報をユーザに視認させる携帯端末において、前記表示トレイは、可撓性を有する帯状のシート部材からなっていると共に、前記表示トレイを引き出し方向に沿って案内して前記筐体の外部に引き出し可能とする案内部材が設けられていることを特徴としている。
【発明の効果】
【０００８】
本発明の一態様によれば、識別情報を表示した表示トレイを有していても、厚みを薄くし得る携帯端末を提供するという効果を奏する。
【図面の簡単な説明】
【０００９】
【図１】（ａ）は本発明の実施形態１における携帯端末の筐体に内蔵された表示トレイの構成を示すものであって、表示トレイが収納された状態を示す斜視図であり、（ｂ）は前記携帯端末の筐体に内蔵された表示トレイの構成を示すものであって、表示トレイが引き出された状態を示す斜視図である。
【図２】前記携帯端末の全体構成を示す分解斜視図である。
【図３】前記筐体に内蔵された表示トレイを備えた携帯端末の構成を示す要部断面図である。
【図４】（ａ）は前記携帯端末のサブアンテナに固定されたシート案内部材の構成を示す平面図であり、（ｂ）は前記シート案内部材にて案内される表示トレイの構成を示す平面図である。
【図５】前記表示シートのシート案内部材への取り付け方法、並びにシート案内部材のサブアンテナへの位置決め方法を示す斜視図である。
【図６】（ａ）は本実施の形態の携帯端末の筐体に内蔵された表示トレイ及び案内部材の変形例の構成を示すものであって、表示トレイの収納状態を示す平面図であり、（ｂ）は前記携帯端末の筐体に内蔵された表示トレイが引き出された状態を示す平面図である。
【図７】（ａ）は本実施の形態の携帯端末の筐体に内蔵され表示トレイ及び案内部材の他の変形例の構成を示すものであって、表示トレイの収納状態を示す平面図であり、（ｂ）は前記携帯端末の筐体に内蔵された表示トレイが引き出された状態を示す平面図である。
【図８】本発明の実施形態２における携帯端末の筐体に内蔵された表示トレイ及び案内部材の構成を示すものであって、案内部材が片面テープにて筐体に固定された状態を示す平面図である。
【図９】前記携帯端末の筐体に内蔵された表示トレイ及び案内部材の変形例の構成を示すものであって、案内部材がピンにて筐体に固定された状態を示す平面図である。
【図１０】本発明の実施形態３における携帯端末の筐体に内蔵された表示トレイ及び案内部材の構成を示すものであって、前記表示トレイ及び案内部材が表示パネルと回路基板との間に設けられた構成を示す携帯端末の要部断面図である。
【発明を実施するための形態】
【００１０】
〔実施の形態１〕
本発明の一実施形態について図１〜図７に基づいて説明すれば、以下のとおりである。
【００１１】
本実施の形態では、携帯端末としての例えばスマートフォン等の携帯電話機１Ａについて説明する。ただし、本発明の一態様における携帯端末は、必ずしも携帯電話機に限らず、例えば、データ通信端末に適用することが可能である。
【００１２】
本実施の形態の携帯端末における携帯電話機１Ａの全体構成について、図２及び図３に基づいて説明する。図２は、前記携帯端末の全体構成を示す分解斜視図である。図３は、前記筐体に内蔵された表示トレイを備えた携帯端末の構成を示す要部断面図である。
【００１３】
本実施の形態の携帯電話機１Ａは、図２及び図３に示すように、例えばタッチパネルを含む表示パネルとしての液晶表示部２を収容する表面側キャビネット３と、この表面側キャビネット３の背面側を覆う背面側キャビネット６とを備えている。また、表面側キャビネット３と背面側キャビネット６との間には、上から順に回路基板としての電子回路基板４と、シールド４ｄと、サブアンテナ５とが収納されている。本実施の形態では、表面側キャビネット３、背面側キャビネット６及びサブアンテナ５は、本発明の一態様における筐体としての機能を有している。
【００１４】
前記電子回路基板４の側面には、ＳＤカード４ａ及びＳＩＭカード４ｂを出し入れ可能なカード用コネクタ４ｃが取り付けられている。
【００１５】
また、表面側キャビネット３の側面には、前記ＳＤカード４ａ及びＳＩＭカード４ｂにおけるカード用コネクタ４ｃへの同一平面方向への取り付けを可能とする開口部３ａが設けられている。前記開口部３ａは、コネクタカバー３ｂによって塞がれるようになっている。コネクタカバー３ｂは、前記ＳＤカード４ａ及びＳＩＭカード４ｂのカード用コネクタ４ｃへの取り付け時若しくは取り外し時、又は後述する表示トレイとしての表示シート２０の引き出し時に、開けられるようになっている。
【００１６】
サブアンテナ５は、図１の（ａ）（ｂ）にも示すように、ＮＦＣ（Near Field Communication：近距離無線通信規格）アンテナ５ａ等を備えている。
【００１７】
一般的に、携帯電話やＰＨＳの移動局（端末）においては、メインアンテナとサブアンテナとの２系統のアンテナを備えている。尚、本実施の形態では、メインアンテナは図示していない。
【００１８】
ところで、携帯電話機やデータ通信端末等の携帯端末は、原則として、それぞれ、国際移動体装置識別番号（ＩＭＥＩ：International Mobile Equipment Identifier；端末識別番号）を有している。
【００１９】
ここで、近年、スマートフォンに代表される携帯端末の小型化、電池の内蔵化に伴い、ＩＭＥＩ、製造番号等の重要情報の表示エリアをとれなくなってきている。そのため、従来、例えば、引き出し式の表示トレイに、ＩＭＥＩ等の重要情報を表示し、必要なときだけそれを引き出して確認する手法が行われている。
【００２０】
しかしながら、従来の携帯端末では、引き出し式の表示トレイが硬質部材からなっているので、携帯端末の厚み方向の一部に表示トレイを同一平面上に収納する領域を確保しなければならない。このため、携帯端末の厚みを薄くするためには限界があるという問題点を有している。
【００２１】
そこで、本実施の形態の携帯電話機１Ａでは、以下のようにしてこの問題を解決している。本実施の形態の携帯電話機１Ａにおける引き出し式の表示トレイについて、図４の（ａ）（ｂ）に基づいて説明する。図４の（ａ）は、前記携帯端末のサブアンテナに固定されたシート案内部材の構成を示す平面図である。図４の（ｂ）は、前記シート案内部材にて案内される表示トレイの構成を示す平面図である。
【００２２】
本実施の形態の表示トレイとしての表示シート２０は、図４の（ｂ）に示すように、可撓性を有する帯状に形成されていると共に、この表示シート２０の表面に、識別情報としてのバーコード２１が一次元で表示されている。そして、後述する図１の（ａ）（ｂ）に示すように、この表示シート２０が帯状のシート案内部材１０に沿って案内されながら引き出されることによって、表面の表示されたバーコード２１が見えるようになっている。本実施の形態では、バーコード２１はラベルに印刷したものが表示シート２０に貼られている。
【００２３】
このバーコード２１には、例えば、国際移動体装置識別番号が表示されている。尚、本実施の形態では、識別情報は一次元のバーコード２１にて表示されているが、必ずしもこれに限らず、本発明の一態様では、２次元のバーコードつまり所謂ＱＲコード（登録商標）であってもよい。或いは、識別情報がコードではなく、文字等で記載されていてもよく、さらに、識別情報が国際移動体装置識別番号以外の携帯電話機１Ａに関する何らかの機器情報等の識別情報であってもよい。
【００２４】
本実施の形態の表示シート２０は、例えばプラスチック等の可撓性を有する材料からなっている。ただし、表示シート２０は、必ずしもプラスチックに限らず、可撓性を有していれば、紙、ゴム、布、金属等であってもよい。
【００２５】
前記表示シート２０における、図４の（ｂ）において左側の端部である引き出し側前端部には、掴み代２２が設けられていると共に、図４の（ｂ）において右側の端部である引き出し側後端部には、後端部ガイド２３が設けられている。
【００２６】
前記掴み代２２は、表示シート２０の長手方向の中央部の幅よりも少し大きい拡幅部を有している。これにより、表示シート２０を図４の（ａ）に示す帯状に形成されているシート案内部材１０に沿って進出移動させて該表示シート２０をサブアンテナ５内に収納するときに、表示シート２０の拡幅部からなる掴み代２２がシート案内部材１０におけるシートガイド部１１のシートガイド部孔１１ａで引っ掛かってそれ以上表示シート２０が奥入りしないようになっている。
【００２７】
また、掴み代２２には、掴み代孔２２ａが形成されている。これによって、例えば、図示しない引っ掛け用具又はユーザの爪をこの掴み代孔２２ａに引っ掛けて表示シート２０を図４の（ｂ）において左側に引くことにより、表示シート２０を表面側キャビネット３の側方の外側に引き出すことができるようになっている。
【００２８】
また、本実施の形態の表示シート２０の後端部ガイド２３は、遊嵌部として形成された後端部ガイド孔２３ａを有している。この後端部ガイド孔２３ａは、図４の（ａ）に示すように、帯状に形成されているシート案内部材１０を遊嵌状態に通すために形成されている。尚、後端部ガイド孔２３ａがシート案内部材１０を遊嵌状態に通すとは、シート案内部材１０が後端部ガイド孔２３ａに遊びを持って緩やかに嵌められており、シート案内部材１０が後端部ガイド孔２３ａを自由に動ける状態をいう。
【００２９】
したがって、後端部ガイド孔２３ａの幅は、シート案内部材１０の長手方向に直交する幅よりも長く形成されていると共に、後端部ガイド孔２３ａにおける、表示シート２０の長手方向の内寸長さは、シート案内部材１０の厚さよりも長いものとなっている。
【００３０】
次に、図４の（ａ）に示すように、前記表示シート２０を引き出し方向に案内するシート案内部材１０は、本実施の形態では、帯状に形成された例えばプラスチック等の可撓性を有する材料からなっている。ただし、シート案内部材１０は、必ずしもプラスチックに限らず、可撓性を有していれば、紙、ゴム、布、金属等であってもよい。
【００３１】
前記シート案内部材１０は、表示シート２０の引き出し方向の長さよりも長いものとなっている。これにより、表示シート２０を収納するときに、表示シート２０を収納方向に進出移動させているときに、表示シート２０の後端部ガイド孔２３ａがシート案内部材１０の後端部から外れることがないようになっている。
【００３２】
また、シート案内部材１０は、図４の（ａ）において左側端部に拡幅部１２を有している。この拡幅部１２は、表示シート２０を引き出すときに、表示シート２０の後端部ガイド２３の後端部ガイド孔２３ａがこの拡幅部１２に引っ掛かるので、表示シート２０がそれ以上引き出せない。これにより、表示シート２０を引き出したときに、表示シート２０が表面側キャビネット３から外れてしまうのを防止することができる。したがって、シート案内部材１０の拡幅部１２は、表示シート２０を引き出すときに表示シート２０がシート案内部材１０のシートガイド部孔１１ａから抜けてシート案内部材１０から離脱するのを防止する本発明の一態様における抜け防止形状としての機能を有している。
【００３３】
このように、前記表示シート２０及びシート案内部材１０の構成によって、本実施の形態の携帯電話機１Ａでは、表示シート２０はシート案内部材１０に沿って引き出されると共に、シート案内部材１０に沿って表面側キャビネット３の内部に収納されるようになっている。
【００３４】
詳細には、本実施の形態の表示シート２０及びシート案内部材１０は、図１の（ａ）（ｂ）に示すように、サブアンテナ５に形成されたサブアンテナ凹部５ｂに収納されるようになっている。
【００３５】
ここで、本実施の形態の表示シート２０のシート案内部材１０への取り付け方法、並びにシート案内部材１０のサブアンテナ５への位置決め方法及び固定方法について、図５に基づいて説明する。図５は、表示シート２０のシート案内部材１０への取り付け方法、及びシート案内部材１０のサブアンテナ５への位置決め方法を示す斜視図である。
【００３６】
本実施の形態では、図５に示すように、表示シート２０は、引き出した状態で、シート案内部材１０がサブアンテナ５に固定されるようになっている。
【００３７】
この表示シート２０をシート案内部材１０に取り付けるためには、まず、図４の（ａ）（ｂ）に示すように、表示シート２０の後端部ガイド２３をシート案内部材１０のシートガイド部１１のシートガイド部孔１１ａに挿入する。そして、表示シート２０を図４の（ｂ）の右側に向かって進出移動させる。ここで、表示シート２０は、シート案内部材１０よりも長さが短く設定されている。このため、表示シート２０の掴み代２２の拡幅部が、シート案内部材１０のシートガイド部孔１１ａに引っ掛かった状態となったときには、表示シート２０の後端部ガイド孔２３ａは、図４の（ａ）に示すシート案内部材１０の右側端には達していない。そこで、本実施の形態では、このとき、シート案内部材１０も可撓性を有しているので、シート案内部材１０を撓ませて、シート案内部材１０の右側端部を表示シート２０の後端部ガイド孔２３ａに通し、その後、その撓みを解除する。これにより、表示シート２０は、シート案内部材１０の長手方向に沿って進退自在となった状態で該シート案内部材１０に取り付けられる。
【００３８】
この状態で、一旦、表示シート２０を左側に引き出す。これにより、やがて、表示シート２０の後端部ガイド孔２３ａがシート案内部材１０の拡幅部１２に当接するので、その位置が、表示シート２０の最大限の引き出し位置となる。この状態で、シート案内部材１０をサブアンテナ５に固定するための位置決めを行う。
【００３９】
シート案内部材１０のサブアンテナ５のサブアンテナ凹部５ｂへ位置決めにおいては、図５に示すように、位置決め用治具３０を用いる。この位置決め用治具３０には、予め設定された位置に２つの位置決めピン３１・３１が立設されている。一方、図２に示すように、サブアンテナ５のサブアンテナ凹部５ｂには、位置決めピン３１・３１の設定位置と同じ間隔でピン用サブアンテナ挿入孔５ｃ・５ｃが穿設されている。また、図４の（ａ）に示すように、シート案内部材１０にも、位置決めピン３１・３１の設定位置と同じ間隔でピン用シート案内部材挿入孔１３・１３が穿設されている。
【００４０】
したがって、図５に示すように、位置決め用治具３０の上側にサブアンテナ５を置き、位置決めピン３１・３１をサブアンテナ５のピン用サブアンテナ挿入孔５ｃ・５ｃを通してシート案内部材１０のピン用シート案内部材挿入孔１３・１３に通すことにより、シート案内部材１０をサブアンテナ５のサブアンテナ凹部５ｂにおける所望の位置決めすることができる。
【００４１】
そして、本実施の形態では、その位置において、図４の（ａ）に示すシート案内部材１０の幅拡大部１２における裏面、及び図４の（ａ）に示すシート案内部材１０の右端部のテープ貼り付け部１４に図示しない両面テープを貼り、シート案内部材１０をサブアンテナ５のサブアンテナ凹部５ｂに固定する。
【００４２】
これにより、表示シート２０をシート案内部材１０の長手方向に沿って進退移動させることによって、表示シート２０は引き出し及び収納が可能となる。
【００４３】
尚、前記の説明では、サブアンテナ５にピン用サブアンテナ挿入孔５ｃ・５ｃを穿設し、かつシート案内部材１０にもピン用シート案内部材挿入孔１３・１３を穿設して、位置決めピン３１・３１を有する位置決め用治具３０を用いてシート案内部材１０の位置決めをした後、シート案内部材１０を両面テープでサブアンテナ５に固定していた。この理由は、本実施の形態では、図３に示すように、サブアンテナ５の直上にはシールド４ｄが存在しているので、サブアンテナ５に決めピン３１・３１を設けることができないためである。したがって、サブアンテナ５の直上に位置決めピンを設ける空間がある場合には、後述する実施の形態２に示すように、サブアンテナ５にピン４２・４２を立設させることが可能である。
【００４４】
前記構成の表示シート２０のサブアンテナ５への収容時とサブアンテナ５からの引き出し時の状態について、図１の（ａ）（ｂ）、図２及び図３に基づいて説明する。図１の（ａ）は、本実施の形態における携帯端末の筐体に内蔵された表示トレイの構成を示すものであって、表示トレイが収納された状態を示す斜視図である。図１の（ｂ）は、前記携帯端末の筐体に内蔵された表示トレイの構成を示すものであって、表示トレイが引き出された状態を示す斜視図である。
【００４５】
図１の（ａ）に示すように、表示シート２０がサブアンテナ５に収納されているときには、表示シート２０はシート案内部材１０に上側に沿って重なった状態で配置されている。このとき、図３に示すように、表示シート２０の掴み代２２が、表面側キャビネット３における開口部３ａに位置している。また、シート案内部材１０は、サブアンテナ５のサブアンテナ凹部５ｂに収納されており、表示シート２０の位置は、開口部３ａよりも低い位置となっている。この結果、表示シート２０は、シート案内部材１０のシートガイド部１１におけるシートガイド部孔１１ａを通した後、上側に傾斜し、その後、横方向に延びて、掴み代２２が前記開口部３ａに位置している。すなわち、本実施の形態の表示シート２０は可撓性を有しているので、表示シート２０におけるバーコード２１の収納位置が表示シート２０の掴み代２２の位置よりも低い位置とすることが可能となっている。換言すれば、表示トレイを湾曲可能な薄いシート部材からなる表示シート２０を使用しているので、携帯電話機１Ａの厚み方向において、引き出し位置と収納位置とがずれてもよい構成を取り得るようになっている。
【００４６】
そして、この表示シート２０を、該表示シート２０の収納位置から引き出すためには、表面側キャビネット３のコネクタカバー３ｂを開けた後、ユーザの爪等を表示シート２０の掴み代２２の掴み代孔２２ａに引っ掛けて表示シート２０を引き出す。これにより、図１の（ｂ）に示すように、表示シート２０が外部に引き出されてバーコード２１が露出するので、ユーザはバーコード２１の表示を視認することができる。
【００４７】
尚、この状態から、表示シート２０を収納する場合には、表示シート２０の掴み代２２を押して該表示シート２０を進出移動させる。このとき、表示シート２０は、表示シート２０の後端部ガイド２３によって、シート案内部材１０に沿って案内されるので、表示シート２０は自動的にシート案内部材１０に重ね合わされた位置に導かれる。その後、掴み代２２が開口部３ａに位置するところまで表示シート２０を進出移動させた後、コネクタカバー３ｂの蓋をすることにより、表示シート２０が収納状態となる。
【００４８】
このように、本実施の形態の携帯端末としての携帯電話機１Ａは、識別情報としてのバーコード２１を表示した表示トレイとしての表示シート２０を筐体としての表面側キャビネット３・サブアンテナ５に内蔵し、その表示シート２０を表面側キャビネット３・サブアンテナ５から引き出すことによりバーコード２１をユーザに視認させる。そして、表示シート２０は、可撓性を有する帯状のシート部材からなっていると共に、表示シート２０を引き出し方向に沿って案内して表面側キャビネット３・サブアンテナ５の外部に引き出し可能とする案内部材としてのシート案内部材１０が設けられている。
【００４９】
前記の構成によれば、表示シート２０を引き出し方向に沿って案内して表面側キャビネット３・サブアンテナ５の外部に引き出し可能とするシート案内部材１０が設けられている。このため、表示シート２０を引き出すときには、シート案内部材１０が表示シート２０を引き出し方向に沿って表面側キャビネット３・サブアンテナ５の外部に引き出すように案内する。ここで、表示シート２０は、可撓性を有する帯状のシート部材からなっているので、表示シート２０自体が同一平面上になくても表示シート２０を引き出せると共に、薄い部材にて構成することが可能となる。
【００５０】
したがって、バーコード２１を表示した表示トレイを有していても、厚みを薄くし得る携帯電話機１Ａを提供することができる。
【００５１】
また、本実施の形態における携帯電話機１Ａは、シート案内部材１０は、可撓性を有する帯状シート部材からなっていると共に、シート案内部材１０における、表示シート２０の引き出し方向の前端部には、表示シート２０を長手方向に通す案内部材孔部としてのシートガイド部孔１１ａが設けられている。
【００５２】
これにより、表示シート２０及びシート案内部材１０の両方が、可撓性を有する帯状のシート部材から構成されているので、表示シート２０及びシート案内部材１０の両方を薄く構成することが可能である。
【００５３】
また、シート案内部材１０における、表示シート２０の引き出し方向の前端部には、表示シート２０を長手方向に通すシートガイド部孔１１ａが設けられている。このため、帯状のシート部材からなる表示シート２０を引き出すときに、該表示シート２０が、シート案内部材１０のシートガイド部孔１１ａにて長手方向の引き出し方向に沿って確実に案内される。
【００５４】
また、本実施の形態における携帯電話機１Ａは、表示シート２０における引き出し方向の後端部には、シート案内部材１０を長手方向に通す表示トレイ孔部としての後端部ガイド孔２３ａが設けられている。
【００５５】
これにより、表示シート２０を収納するときに、表示シート２０における引き出し方向の後端部の後端部ガイド孔２３ａがシート案内部材１０に沿って移動する。この結果、表示シート２０を収納するときに、奥の方まで、表示シート２０がシート案内部材１０に沿って移動するので、表示シート２０が斜め方向に向くことなく、該表示シート２０を表面側キャビネット３・サブアンテナ５の内部に収納することができる。
【００５６】
また、本実施の形態における携帯電話機１Ａでは、シート案内部材１０は、サブアンテナ５に固定されている。
【００５７】
これにより、サブアンテナ５は領域面積が大きいので、表示シート２０及びシート案内部材１０が大きくても容易に収納することが可能となる。
【００５８】
また、本実施の形態における携帯電話機１Ａでは、シート案内部材１０は、表示シート２０における引き出し方向の少なくとも後端部にてサブアンテナ５に固定されている。
【００５９】
これにより、シート案内部材１０の後端部にて該シート案内部材１０をサブアンテナ５に固定することにより、表示シート２０を収納するときに、表示シート２０が斜め方向に向くことなく、該表示シート２０をサブアンテナ５の内部に収納することができる。
【００６０】
また、シート案内部材１０における、表示シート２０の引き出し方向の後端部と前端部との両方でサブアンテナ５に固定した場合には、表示シート２０の収納時及び引き出し時の両方において、表示シート２０が斜め方向に向くことなく、該表示シート２０をサブアンテナ５の内部に収納し、又は外部に引き出すことができる。
【００６１】
尚、本発明は、前記の実施の形態に限定されるものではなく、本発明の範囲内で種々の変更が可能である。例えば、前記実施の形態では、表示シート２０の長手方向の全体において、その幅つまり表示シート２０の長手方向に直交する幅は、シート案内部材１０の幅よりも大きいものであった。
【００６２】
しかしながら、特にこれに限定するものではなく、例えば、図６の（ａ）（ｂ）に示すように、表示シート２０Ａの幅とシート案内部材１０Ａの幅とが同じであるとすることも可能である。ただし、この場合、シート案内部材１０Ａにおけるシートガイド部１５のシートガイド部孔１５ａを表示シート２０Ａの幅よりも大きくする。一方、表示シート２０Ａにおける後端部ガイド２４の後端部ガイド孔２４ａの内寸幅をシート案内部材１０Ａの幅よりも大きくする。
【００６３】
これにより、表示シート２０Ａの幅とシート案内部材１０Ａの幅とが同じであっても、表示シート２０Ａをシート案内部材１０Ａに沿わせて引き出させることが可能である。また、このとき、図６の（ｂ）に示すように、表示シート２０Ａの引き出し時においては、表示シート２０Ａの後端部ガイド２４が、シート案内部材１０Ａのシートガイド部１５に当接し、シートガイド部孔１５ａを通り抜けることができない。このため、表示シート２０Ａをこれ以上引き出すことができないので、表示シート２０Ａが抜き取られることはない。
【００６４】
また、例えば、図７の（ａ）（ｂ）に示すように、表示シート２０Ｂの幅がシート案内部材１０Ｂの幅よりも小さいとすることも可能である。この場合、図７の（ａ）（ｂ）に示すように、シート案内部材１０Ｂにおけるシートガイド部１６のシートガイド部孔１６ａを表示シート２０Ｂの幅よりも大きくする。一方、表示シート２０Ｂにおける後端部ガイド２５の後端部ガイド孔２５ａの内寸幅をシート案内部材１０Ｂの幅よりも大きくする。
【００６５】
これにより、表示シート２０Ｂの幅がシート案内部材１０Ｂの幅よりも小さい場合であっても、表示シート２０Ｂをシート案内部材１０Ｂに沿わせて引き出させることが可能である。
【００６６】
また、この場合においても、図７の（ｂ）に示すように、表示シート２０Ｂの引き出し時においては、表示シート２０Ｂの後端部ガイド２５が、シート案内部材１０Ｂのシートガイド部孔１６ａを通り抜けることができない。このため、表示シート２０Ｂをこれ以上引き出すことができないので、表示シート２０Ｂが抜き取られることはない。
【００６７】
このように、本実施の形態の携帯電話機１Ａは、表示シート２０・２０Ａ・２０Ｂ又はシート案内部材１０・１０Ａ・１０Ｂの少なくとも一方には、表示シート２０・２０Ａ・２０Ｂを引き出すときに表示シート２０・２０Ａ・２０Ｂがシート案内部材１０・１０Ａ・１０Ｂのシートガイド部孔１１ａ・１５ａ・１６ａから抜けてシート案内部材１０・１０Ａ・１０Ｂから離脱するのを防止する抜け防止形状が形成されている。
【００６８】
これにより、表示シート２０・２０Ａ・２０Ｂを引き出すときに表示シート２０・２０Ａ・２０Ｂがシート案内部材１０・１０Ａ・１０Ｂのシートガイド部孔１１ａ・１５ａ・１６ａから抜けてシート案内部材１０・１０Ａ・１０Ｂから離脱するのを防止することができる。
【００６９】
ここで、抜け防止形状の一例として、例えば、シート案内部材１０における、表示シート２０の引き出し方向の前端部に存在するシートガイド部１１の幅を拡幅部１２として、表示シート２０の後端部ガイド孔２３ａの内寸幅よりも拡幅に形成する形状がある。
【００７０】
また、抜け防止形状の他の一例として、例えば、表示シート２０Ａ・２０Ｂの引き出し方向の後端部をシートガイド部孔１５ａ・１６ａの内寸幅よりも拡幅に形成する形状がある。
【００７１】
〔実施の形態２〕
本発明の他の実施の形態について図８に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００７２】
前記実施の形態１の携帯電話機１Ａでは、シート案内部材１０を固定するために両面テープを使用していた。これに対して、本実施の形態の携帯電話機１Ｂは、シート案内部材１０を固定するために両面テープに替えて片面テープを使用している点が異なっている。
【００７３】
本実施の形態の携帯端末としての携帯電話機１Ｂの構成について、図８及び図９に基づいて説明する。図８は、本実施形態における携帯電話機１Ｂの構成を示すものであって、サブアンテナ５に片面テープ４１にて固定されたシート案内部材１０及び表示シート２０の構成を示す平面図である。図９は、本実施形態における携帯電話機１Ｂの他の構成を示すものであって、サブアンテナ５にピン４２にて位置が固定されたシート案内部材１０及び表示シート２０の構成を示す平面図である。
【００７４】
本実施の形態の携帯電話機１Ｂは、図８に示すように、シート案内部材１０がサブアンテナ５に内蔵されていると共に、このシート案内部材１０は、片面テープ４１・４１にてサブアンテナ５に固定されている。
【００７５】
これにより、表示シート２０を組み込んだシート案内部材１０を位置決めした後、その位置にて上から片面テープ４１・４１をシート案内部材１０の両端に貼り付ければよいので、シート案内部材１０をサブアンテナ５に容易に固定することが可能である。
【００７６】
尚、本発明は、前記の実施の形態に限定されるものではなく、本発明の範囲内で種々の変更が可能である。
【００７７】
すなわち、本実施の形態では、シート案内部材１０をサブアンテナ５に固定するときの固定部材として両面テープ又は片面テープを用いたが、必ずしもこれに限らず、例えば、接着剤等の固定部材を使用することができる。
【００７８】
また、表示シート２０及びシート案内部材１０をサブアンテナ５に位置決めする際に、これらピン４２・４２の直下に部品が無く、かつピン４２・４２を設置するために支障のない例えば１ｍｍ程度の高さの空間が存在する場合は、サブアンテナ５にピン４２・４２を立設させることも可能である。
【００７９】
これにより、実施の形態１にて説明したように、位置決め用治具３０を使用して、表示シート２０を組み込んだシート案内部材１０の位置決めをする必要がなくなるので、工数の削減を図ることができる。
【００８０】
〔実施の形態３〕
本発明のさらに他の実施の形態について図１０に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００８１】
前記実施の形態１の携帯電話機１Ａ及び実施の形態２の携帯電話機１Ｂでは、シート案内部材１０をサブアンテナ５に固定していた。これに対して、本実施の形態の携帯電話機１Ｃでは、シート案内部材１０をサブアンテナ５に固定していない点が異なっている。
【００８２】
本実施の形態の携帯端末としての携帯電話機１Ｃの構成について、図１０に基づいて説明する。図１０は、本実施形態における携帯電話機１Ｃの構成を示す要部断面図である。
【００８３】
本実施の形態の携帯電話機１Ｃは、図１０に示すように、表示シート２０及びシート案内部材１０は、サブアンテナ５に固定されているのではなく、表面側キャビネット板金３ｃと電子回路基板４との間に設けられているとすることが可能である。すなわち、表示シート２０及びシート案内部材１０は、表示パネルとしての液晶表示部２と回路基板としての電子回路基板４との間に設けられているとすることができる。
【００８４】
この場合、図１０に示すように、表示シート２０及びシート案内部材１０は、カード用コネクタ４ｃの上側に固定して設けられる。
【００８５】
この結果、表示シート２０及びシート案内部材１０が同一平面方向に延設された状態となり、そのとき、表示シート２０の掴み代２２は表面側キャビネット３の開口部３ａに臨んでいる。
【００８６】
したがって、表示シート２０を同一平面上に引き出すことによって、容易に表示シート２０を表面側キャビネット３の外部に引き出すことができる。
【００８７】
また、表示シート２０及びシート案内部材１０を、サブアンテナ５以外の箇所に設けることが可能である。
【００８８】
このように、本実施の形態における携帯端末としての携帯電話機１Ｃは、表示シート２０及びシート案内部材１０、表示パネルとしての液晶表示部２と回路基板としての電子回路基板４との間に設けられている。
【００８９】
これにより、本実施の形態においては、表示シート２０及びシート案内部材１０は薄く、かつ可撓性を有するので、必ずしもサブアンテナ５でなくても、随時、液晶表示部２と電子回路基板４との間に設けることが可能である。
【００９０】
〔まとめ〕
本発明の態様１における携帯端末（携帯電話機１Ａ・１Ｂ・１Ｃ）は、識別情報（バーコード２１）を表示した表示トレイ（表示シート２０）を筐体（表面側キャビネット３・背面側キャビネット６・サブアンテナ５）に内蔵し、その表示トレイ（表示シート２０）を筐体（表面側キャビネット３・背面側キャビネット６・サブアンテナ５）から引き出すことにより前記識別情報（バーコード２１）をユーザに視認させる携帯端末において、前記表示トレイ（表示シート２０）は、可撓性を有する帯状のシート部材からなっていると共に、前記表示トレイ（表示シート２０）を引き出し方向に沿って案内して前記筐体（表面側キャビネット３・背面側キャビネット６・サブアンテナ５）の外部に引き出し可能とする案内部材（シート案内部材１０）が設けられていることを特徴としている。
【００９１】
前記の発明の一態様によれば、表示トレイを引き出し方向に沿って案内して筐体の外部に引き出し可能とする案内部材が設けられている。このため、表示トレイを引き出すときには、案内部材が表示トレイを引き出し方向に沿って筐体の外部に引き出すように案内する。ここで、表示トレイは、可撓性を有する帯状のシート部材からなっているので、表示トレイ自体が同一平面上になくても該表示トレイを引き出せると共に、薄い部材にて構成することが可能となる。
【００９２】
したがって、識別情報を表示した表示トレイを有していても、厚みを薄くし得る携帯端末を提供することができる。
【００９３】
本発明の態様２における携帯端末（携帯電話機１Ａ・１Ｂ・１Ｃ）は、態様１における携帯端末において、前記案内部材（シート案内部材１０・１０Ａ・１０Ｂ）は、可撓性を有する帯状のシート部材からなっていると共に、前記案内部材（シート案内部材１０・１０Ａ・１０Ｂ）における、前記表示トレイ（表示シート２０・２０Ａ・２０Ｂ）の引き出し方向の前端部には、前記表示トレイ（表示シート２０・２０Ａ・２０Ｂ）を長手方向に通す案内部材孔部（シートガイド部孔１１ａ・１５ａ・１６ａ）が設けられていることが好ましい。
【００９４】
これにより、表示トレイ及び案内部材の両方が、可撓性を有する帯状のシート部材から構成されているので、表示トレイ及び案内部材の両方を薄く構成することが可能である。
【００９５】
また、案内部材における、表示トレイの引き出し方向の前端部には、表示トレイを長手方向に通す案内部材孔部が設けられている。このため、帯状のシート部材からなる表示トレイを引き出すときに、該表示トレイが、案内部材の案内部材孔部にて長手方向の引き出し方向に沿って確実に案内される。
【００９６】
本発明の態様３における携帯端末（携帯電話機１Ａ・１Ｂ・１Ｃ）は、態様２における携帯端末において、前記表示トレイ（表示シート２０・２０Ａ・２０Ｂ）又は案内部材（シート案内部材１０・１０Ａ・１０Ｂ）の少なくとも一方には、前記表示トレイ（表示シート２０・２０Ａ・２０Ｂ）を引き出すときに前記表示トレイ（表示シート２０・２０Ａ・２０Ｂ）が前記案内部材（シート案内部材１０・１０Ａ・１０Ｂ）の前記案内部材孔部（シートガイド部孔１１ａ・１５ａ・１６ａ）から抜けて前記案内部材（シート案内部材１０・１０Ａ・１０Ｂ）から離脱するのを防止する抜け防止形状（拡幅部１２）が形成されていることが好ましい。
【００９７】
これにより、表示トレイを引き出すときに表示トレイが案内部材の前記案内部材孔部から抜けて案内部材から離脱するのを防止することができる。尚、抜け防止形状は、例えば、案内部材における、表示トレイの引き出し方向の前端部の幅を、後述する表示トレイの表示トレイ孔部の内寸幅よりも拡幅に形成する形状、又は表示トレイの引き出し方向の後端部を案内部材孔部の内寸幅よりも拡幅に形成する形状がある。
【００９８】
本発明の態様４における携帯端末（携帯電話機１Ａ・１Ｂ・１Ｃ）は、態様１、２又は３における携帯端末において、前記表示トレイ（表示シート２０・２０Ａ・２０Ｂ）における引き出し方向の後端部には、前記案内部材（シート案内部材１０・１０Ａ・１０Ｂ）を長手方向に通す表示トレイ孔部（後端部ガイド孔２３ａ・２４ａ・２５ａ）が設けられていることが好ましい。
【００９９】
これにより、表示トレイを収納するときに、表示トレイにおける引き出し方向の後端部の表示トレイ孔部が案内部材に沿って移動する。この結果、表示トレイを収納するときに、奥の方まで、表示トレイが案内部材に沿って移動するので、表示トレイが斜め方向に向くことなく、該表示トレイを筐体の内部に収納することができる。
【０１００】
本発明の態様５における携帯端末（携帯電話機１Ａ・１Ｂ）は、態様１〜４のいずれか１における携帯端末において、前記案内部材（シート案内部材１０）は、サブアンテナ５に固定されている。
【０１０１】
これにより、サブアンテナは領域面積が大きいので、表示トレイ及び案内部材が大きくても容易に収納することが可能となる。
【０１０２】
本発明の態様６における携帯端末（携帯電話機１Ａ・１Ｂ）は、態様１〜５のいずれか１における携帯端末において、前記案内部材（シート案内部材１０）は、前記表示トレイ（表示シート２０）における引き出し方向の少なくとも後端部にて前記筐体（サブアンテナ５）に固定されている。尚、固定方法としては、テープ、その他接着剤等を用いることができる。
【０１０３】
これにより、案内部材の少なくとも後端部にて該案内部材を筐体に固定することにより、表示トレイを収納するときに、表示トレイが斜め方向に向くことなく、該表示トレイを筐体の内部に収納することができる。
【０１０４】
本発明の態様７における携帯端末（携帯電話機１Ｃ）は、態様１〜４のいずれか１における携帯端末において、前記表示トレイ（表示シート２０）及び案内部材（シート案内部材１０）は、表示パネル（液晶表示部２）と回路基板（電子回路基板４）との間に設けられている。
【０１０５】
これにより、本発明の一態様においては、表示トレイ及び案内部材は薄く、かつ可撓性を有するので、必ずしもサブアンテナでなくても、表示パネルと回路基板との間に設けることが可能である。
【０１０６】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の一態様における技術的範囲に含まれる。さらに、各実施形態にそれぞれ開示された技術的手段を組み合わせることにより、新しい技術的特徴を形成することができる。
【符号の説明】
【０１０７】
１Ａ・１Ｂ・１Ｃ      携帯電話機（携帯端末）
２                    液晶表示部（表示パネル）
３                    表面側キャビネット（筐体）
３ａ                  開口部
４                    電子回路基板（回路基板）
４ｃ                  カード用コネクタ
５                    サブアンテナ（筐体）
５ｂ                  サブアンテナ凹部
６                    背面側キャビネット（筐体）
１０・１０Ａ・１０Ｂ    シート案内部材（案内部材）
１１・１５・１６        シートガイド部
１１ａ・１５ａ・１６ａ  シートガイド部孔（案内部材孔部）
１２                    拡幅部（抜け防止形状）
２０・２０Ａ・２０Ｂ    表示シート（表示トレイ）
２１                    バーコード（識別情報）
２３・２４・２５        後端部ガイド
２３ａ・２４ａ・２５ａ  後端部ガイド孔（表示トレイ孔部）
３１                    位置決めピン
４１                    片面テープ
４２                    ピン
【図１】
0006602965.tif 000002
【図２】
0006602965.tif 000003
【図３】
0006602965.tif 000004
【図４】
0006602965.tif 000005
【図５】
0006602965.tif 000006
【図６】
0006602965.tif 000007
【図７】
0006602965.tif 000008
【図８】
0006602965.tif 000009
【図９】
0006602965.tif 000010
【図１０】
0006602965.tif 000011